(57)【特許請求の範囲】
【請求項１】
映像バスコントローラ（４）によりカメラ付玄関機（１）、モニタ親機（２）、増設モニタ親機（３）に電源をそれぞれ供給し、前記カメラ付玄関機で撮像された映像を前記モニタ親機、前記増設モニタ親機で映し出すテレビインターホンシステムであって、
前記映像バスコントローラーは、前記増設モニタ親機を増設するにあたり増設前に使用しているメイン電源アダプタ（５）と同一のサブ増設用電源アダプタ（６）を増設接続すると共に、前記サブ増設用電源アダプタを検出する電源検出回路（４７）と、前記電源検出回路で前記サブ増設用電源アダプタが検出されたとき、前記増設前に使用しているメイン電源アダプタおよび前記サブ増設用電源アダプタから前記映像バスコントローラ、前記カメラ付玄関機、前記モニタ親機および前記増設モニタ親機に切り分けて電源を供給する電源切替回路（４５）とを備えたことを特徴とするテレビインターホンシステム。
【請求項２】
前記電源切替回路は、前記電源検出回路で前記サブ増設用電源アダプタが検出されたとき、前記カメラ付玄関機のカメラ回路への電源と前記映像バスコントローラ自身で消費する電源は前記メイン電源アダプタから供給し、前記モニタ親機のモニタ回路への電源と前記増設モニタ親機のモニタ回路への電源は前記サブ増設用電源アダプタから供給するリレー（４４）で構成されることを特徴とする請求項１記載のテレビインターホンシステム。
【発明の詳細な説明】
【０００１】
【発明の属する技術分野】
本発明は、テレビインターホンシステムに係わり、特に、カメラ付玄関機、モニタ親機および増設モニタ親機にそれぞれ電源を供給する映像バスコントローラを備えるテレビインターホンシステムに関する。
【０００２】
【従来の技術】
従来から、この種のテレビインターホンシステムとして、図２に示すような構成のものが知られている。同図において、従来のテレビインターホンシステムは、住戸玄関に設置されるカメラ付玄関機１０と、住戸内に設置されるモニタ親機２０および増設モニタ親機３０と、カメラ付玄関機１０、モニタ親機２０および増設モニタ親機３０にそれぞれ電源を供給する映像バスコントローラ４０と、映像バスコントローラ４０に接続されるメイン電源アダプタ５０とを備えている。ここで、カメラ付玄関機１０は、第１の接続ラインＬ１０を介して映像バスコントローラ４０に接続され、この映像バスコントローラ４０には、第２の接続ラインＬ２０を介してモニタ親機２０および増設モニタ親機３０が、第３の接続ラインＬ３０を介してメイン電源アダプタ５０がそれぞれ接続されている。
【０００３】
カメラ付玄関機１０は、映像電源分離回路１１０（以下「玄関機映像電源分離回路１１０」という。）と、電源回路１２０（以下「玄関機電源回路１２０」という。）と、カメラ回路１３０（以下「玄関機カメラ回路１３０」という。）とを備えており、玄関機映像電源分離回路１１０は、玄関機電源回路１２０、玄関機カメラ回路１３０および第１の接続ラインＬ１０に接続されている。
【０００４】
モニタ親機２０は、映像電源分離回路２１０（以下「親機映像電源分離回路２１０」という。）と、電源回路２２０（以下「親機電源回路２２０」という。）と、モニタ回路２３０（以下「親機モニタ回路２３０」という。）とを備えており、親機映像電源分離回路２１０は、親機電源回路２２０、親機モニタ回路２３０および第２の接続ラインＬ２０に接続されている。
【０００５】
増設モニタ親機３０は、映像電源分離回路３１０（以下「増設親機映像電源分離回路３１０」という。）と、電源回路３２０（以下「増設親機電源回路３２０」という。）と、モニタ回路３３０（以下「増設親機モニタ回路３３０」という。）とを備えており、増設親機映像電源分離回路３１０は、増設親機電源回路３２０、増設親機モニタ回路３３０および第２の接続ラインＬ２０に接続されている。
【０００６】
映像バスコントローラ４０は、モニタ電源映像回路４１０と、映像信号増幅回路４２０と、カメラ電源映像回路４３０と、メイン電源回路４４０とを備えており、モニタ電源映像回路４１０は、映像信号増幅回路４２０、第２の接続ラインＬ２０およびメイン電源回路４４０に接続され、このメイン電源回路４４０には第３の接続ラインＬ３０が接続されている。また、メイン電源回路４４０は、映像信号増幅回路４２０およびカメラ電源映像回路４３０に接続され、このカメラ電源映像回路４３０には、映像信号増幅回路４２０および第１の接続ラインＬ１０が接続されている。
【０００７】
次に、このような構成のテレビインターホンシステムの動作について説明する。まず、待ち受け時では、メイン電源アダプタ５０からメイン電源回路４４０へ電源が供給されており、メイン電源回路４４０から、カメラ電源映像回路４３０、第１の接続ラインＬ１０および玄関機映像電源分離回路１１０を介して玄関機電源回路１２０に電源が供給される。また、これとともに、モニタ電源映像回路４１０および第２の接続ラインＬ２０を介して親機映像電源分離回路２１０および増設親機映像電源分離回路３１０にそれぞれ電源が供給され、さらに、親機映像電源分離回路２１０から親機電源回路２２０に、増設親機映像電源分離回路３１０から増設親機電源回路３２０にそれぞれ電源が供給され、これにより、カメラ付玄関機１０のカメラ回路１３０、モニタ親機２０のモニタ回路２３０および増設モニタ親機３０のモニタ回路３３０を除く各部（回路）には、既に電源が供給されている。
【０００８】
そこで、来客者がカメラ付玄関機１０の呼出ボタン（不図示）を押下してモニタ親機２０を呼び出すと、玄関機電源回路１２０からカメラ回路１３０に、親機電源回路２２０から親機モニタ回路２３０に、増設親機電源回路３２０から増設親機モニタ回路３３０にそれぞれ動作電源が供給される。
【０００９】
そして、カメラ回路１３０、親機モニタ回路２２０および増設親機モニタ回路３３０が能動状態になると、カメラ付玄関機１０のカメラ回路１３０を構成するカメラ（不図示）で撮像された来訪者の映像信号は、玄関機映像電源分離回路１１０、第１の接続ラインＬ１０、カメラ電源映像回路４３０、映像信号増幅回路４２０、モニタ電源映像回路４１０および第２の接続ラインＬ２０を介して親機映像電源分離回路２１０および増設親機映像電源分離回路３１０へ伝送され、親機映像電源分離回路２１０から親機モニタ回路２３０および増設親機映像電源分離回路３１０から増設親機モニタ回路３３０へ伝送される。これにより、親機モニタ回路２３０および増設親機モニタ回路３３０を構成するモニタ（不図示）に来訪者の映像が映し出される。
【００１０】
【発明が解決しようとする課題】
しかしながら、このような構成のテレビインターホンシステムにおいては、メイン電源アダプタ５０から、カメラ回路１３０、親機モニタ回路２２０および増設親機モニタ回路３３０を動作させるための電源が供給されることから、増設モニタ親機を有するテレビインターホンシステムと、増設モニタ親機を有しないテレビインターホンシステムとでは、メイン電源アダプタ５０に要求される電源として、前者が後者よりも容量の大きいものが必要になることになる。従って、増設モニタ親機を有するテレビインターホンシステムにおいては、メイン電源アダプタ５０は、増設モニタ親機を増設した場合に対応するため別品種の大型電源が必要となり、また、この電源として、増設モニタ親機を有しない場合のメイン電源アダプタ５０の電源よりも大きい容量を有する電源アダプタを市場に供給する必要があるが、この場合、大幅なコストアップなってしまうという難点があった。
【００１１】
本発明は、このような難点を解決するためになされたもので、増設モニタ親機を備えるテレビインターホンシステムにおいても、２種類の電源アダプタを用意する必要がなく、また、容量の大きい電源アダプタを使用しなくとも、カメラ付玄関機、モニタ親機および増設モニタ親機にそれぞれ電源を供給することができるテレビインターホンシステムを提供することを目的としている。
【００１２】
【課題を解決するための手段】
このような目的を達成するために、本発明のテレビインターホンシステムは、映像バスコントローラによりカメラ付玄関機、モニタ親機、増設モニタ親機に電源をそれぞれ供給し、カメラ付玄関機で撮像された映像をモニタ親機、増設モニタ親機で映し出すテレビインターホンシステムであって、映像バスコントローラーは、増設モニタ親機を増設するにあたり増設前に使用しているメイン電源アダプタと同一のサブ増設用電源アダプタを増設接続すると共に、サブ増設用電源アダプタを検出する電源検出回路と、電源検出回路でサブ増設用電源アダプタが検出されたとき、増設前に使用しているメイン電源アダプタおよびサブ増設用電源アダプタから映像バスコントローラ、カメラ付玄関機、モニタ親機および増設モニタ親機に切り分けて電源を供給する電源切替回路とを備えたことを特徴としている。
【００１３】
また、本発明のテレビインターホンシステムにおける電源切替回路は、電源検出回路でサブ増設用電源アダプタが検出されたとき、カメラ付玄関機のカメラ回路への電源と映像バスコントローラ自身で消費する電源はメイン電源アダプタから供給し、モニタ親機のモニタ回路への電源と増設モニタ親機のモニタ回路への電源はサブ増設用電源アダプタから供給するリレーで構成されることを特徴としている。
【００１４】
本発明のテレビインターホンシステムによれば、映像バスコントローラに、メイン電源アダプタと、このメイン電源アダプタと同一のサブ増設用電源アダプタとが接続され、これらのメイン電源アダプタおよびサブ増設用電源アダプタから供給される電源が電源切替回路によりカメラ付玄関機、モニタ親機および増設モニタ親機に切り分けて供給されることから、２種類の電源アダプタを用意しなくとも、また、メイン電源アダプタよりも容量の大きい電源アダプタを使用しなくとも、カメラ付玄関機、モニタ親機および増設モニタ親機にそれぞれ電源を供給することができる。
【００１５】
【発明の実態の形態】
以下、本発明のテレビインターホンシステムを適用した好ましい実施の形態例について、図面を参照して詳述する。
【００１６】
図１は、本発明のテレビインターホンシステムのブロック図を示している。同図において、 本発明のテレビインターホンシステムは、住戸玄関に設置されるカメラ付玄関機１と、住戸内に設置されるモニタ親機２および増設モニタ親機３と、カメラ付玄関機１、モニタ親機２および増設モニタ親機３にそれぞれ電源を供給する映像バスコントローラ４と、映像バスコントローラ４に接続されるメイン電源アダプタ５およびサブ増設用電源アダプタ６とを備えている。ここで、カメラ付玄関機１は、第１の接続ラインＬ１を介して映像バスコントローラ４に接続され、この映像バスコントローラ４には、第２の接続ラインＬ２を介してモニタ親機２および増設モニタ親機３が、第３の接続ラインＬ３を介してメイン電源アダプタ５が、第４の接続ラインＬ４を介してサブ増設用電源アダプタ６がそれぞれ接続されている。
【００１７】
カメラ付玄関機１は、映像電源分離回路１１（以下「玄関機映像電源分離回路１１」という。）と、電源回路１２（以下「玄関機電源回路１２」という。）とと、カメラ回路１３（以下「玄関機カメラ回路１３」という。）とを備えており、玄関機映像電源分離回路１１は、玄関機電源回路１２、玄関機カメラ回路１３および第１の接続ラインＬ１に接続されている。
【００１８】
モニタ親機２は、映像電源分離回路２１（以下「親機映像電源分離回路２１」という。）と、電源回路２２（以下「親機電源回路２２」という。）と、モニタ回路２３（以下「親機モニタ回路２３」という。）とを備えており、親機映像電源分離回路２１は、親機電源回路２２、親機モニタ回路２３および第２の接続ラインＬ２に接続されている。
【００１９】
増設モニタ親機３は、映像電源分離回路３１（以下「増設親機映像電源分離回路３１」という。）と、電源回路３２（以下「増設親機電源回路３２」という。）と、モニタ回路３３（以下「増設親機モニタ回路３３」という。）とを備えており、増設親機映像電源分離回路３１は、増設親機電源回路３２、増設親機モニタ回路３３および第２の接続ラインＬ２に接続されている。
【００２０】
映像バスコントローラ４は、モニタ電源映像回路４１と、映像信号増幅回路４２と、カメラ電源映像回路４３と、リレー４４を有する電源切替回路４５と、サブ電源回路４６と、電源検出回路４７と、メイン電源回路４８とを備えており、また、リレー４４は、中点４４ａと、ブレーク接点４４ｂと、メーク接点４４ｃとで構成されている。ここで、モニタ電源映像回路４１は、映像信号増幅回路４２、第２の接続ラインＬ２およびリレー４４の中点４４ａに接続され、カメラ電源映像回路４３は、映像信号増幅回路４２、リレー４４のブレーク接点４４ｂ、メイン電源回路４８および第１の接続ラインＬ１に接続され、メイン電源回路４８には第３の接続ラインＬ３が接続されている。また、映像信号増幅回路４２は、メイン電源回路４８に接続され、サブ電源回路４６は、電源検出回路４７、リレー４４のメーク接点４４ｃおよび第４の接続ラインＬ４に接続され、電源検出回路４７にはリレー駆動部（不図示）が接続されている。
【００２１】
次に、このような構成のテレビインターホンシステムの動作について説明する。
【００２２】
まず、増設モニタ親機３が増設接続されていないテレビインターホンシステムにおいては、リレー４４のメーク接点４４ｃが開き、ブレーク接点４４ｂが閉じている。また、待ち受け時では、メイン電源アダプタ５から第３の接続ラインＬ３を介してメイン電源回路４８に電源が供給され、このメイン電源回路４８から、映像バスコントローラ４の各部（回路）に電源が供給されるとともに、カメラ電源映像回路４３、第１の接続ラインＬ１および玄関機映像電源分離回路１１を介して玄関機電源回路１２に、モニタ電源映像回路４１および第２の接続ラインＬ２を介して親機映像電源分離回路２１に電源が供給される。そして、親機映像電源分離回路２１から親機電源回路２２に電源が供給され、これにより、カメラ付玄関機１のカメラ回路１３およびモニタ親機２のモニタ回路２３を除く各部（回路）には、既に電源が供給されている。
【００２３】
そこで、来客者がカメラ付玄関機１の呼出ボタン（不図示）を押下してモニタ親機２を呼び出すと、玄関機電源回路１２からカメラ回路１３に、親機電源回路２２から親機モニタ回路２３にそれぞれ動作電源が供給される。
【００２４】
このような状態において、来客者がカメラ付玄関機１の呼出ボタン（不図示）を押下してモニタ親機２を呼び出すと、メイン電源回路４８から、電源切替回路４５、カメラ電源映像回路４３、第１の接続ラインＬ１および玄関機映像電源分離回路１１を介して玄関機電源回路１２に電源が供給される。また、これとともに、電源切替回路４５、モニタ電源映像回路４１、第２の接続ラインＬ２および親機映像電源分離回路２１を介して親機電源回路２２に電源が供給される。これにより、玄関機電源回路１２からカメラ回路１３に、親機電源回路２２から親機モニタ回路２３にそれぞれ動作電源が供給される。
【００２５】
そして、カメラ回路１３および親機モニタ回路２３が能動状態になると、カメラ付玄関機１のカメラ回路１３を構成するカメラ（不図示）で撮像された来訪者の映像信号は、玄関機映像電源分離回路１１、第１の接続ラインＬ１、カメラ電源映像回路４３、映像信号増幅回路４２、モニタ電源映像回路４１、第２の接続ラインＬ２（以下、玄関機映像電源分離回路１１、第１の接続ラインＬ１、カメラ電源映像回路４３、映像信号増幅回路４２、モニタ電源映像回路４１および第２の接続ラインＬ２の経路を「映像ライン」という。）および親機映像電源分離回路２１を介して親機モニタ回路２３へ伝送され、これにより、モニタ回路２３を構成するモニタ（不図示）に来訪者の映像が映し出される。
【００２６】
次いで、このような構成のテレビインターホンシステムに、増設モニタ親機３が増設接続される場合について説明する。この場合、電源が不足することになるため、サブ増設用電源アダプタ６が増設接続される。そうすると、サブ増設用電源アダプタ６から第４の接続ラインＬ４を介してサブ電源回路４６に電源が供給され、この電源が電源検出回路４７で検出されると、電源検出回路４７がリレー駆動部（不図示）を動作させることにより、リレー４４のブレーク接点４４ｂが開かれ、メーク接点４４ｃが閉じられる。これにより、メイン電源アダプタ５およびサブ増設用電源アダプタ６から供給される電源が次のように切り分けられる。すなわち、メイン電源回路４８から、電源切替回路４５を介して映像バスコントローラ４のモニタ電源映像回路４１を除く各部（回路）に電源が供給されるとともに、カメラ電源映像回路４３、第１の接続ラインＬ１および玄関機映像電源分離回路１１を介して玄関機電源回路１２に電源が供給される。また、サブ電源回路４６から、電源切替回路４５を介してモニタ電源映像回路４１に電源が供給されるとともに、このモニタ電源映像回路４１から第２の接続ラインＬ２を介して親機映像電源分離回路２１および増設親機映像電源分離回路３１にそれぞれ電源が供給され、さらに、親機映像電源分離回路２１から親機電源回路２２に、増設親機映像電源分離回路３１から増設親機電源回路３２にそれぞれ電源が供給される。
これにより、玄関機電源回路１２からカメラ回路１３に、親機電源回路２２から親機モニタ回路２３に、増設親機電源回路３２から増設親機モニタ回路３３にそれぞれ動作電源が供給される。
【００２７】
そして、カメラ回路１３、親機モニタ回路２３および増設親機モニタ回路３３が能動状態になると、カメラ付玄関機１のカメラ回路１３を構成するカメラで撮像された来訪者の映像信号は、前述の映像信号と同様に、映像ライン、親機映像電源分離回路２１を介して親機モニタ回路２３および映像ライン、増設親機映像電源分離回路３１を介して増設親機モニタ回路３３へ伝送され、これにより、モニタ親機２のモニタおよび増設モニタ親機３のモニタ（不図示）に来訪者の映像が映し出される。
【００２８】
【発明の効果】
以上の説明から明らかなように、本発明のテレビインターホンシステムによれば、増設モニタ親機を備えるテレビインターホンシステムにおいても、２種類の電源アダプタを用意する必要がなく、また、容量の大きい電源アダプタを使用しなくとも、カメラ付玄関機、モニタ親機および増設モニタ親機にそれぞれ電源を供給することができ、ひいては、コストダウンを図ることができる。
【図面の簡単な説明】
【図１】本発明によるテレビインターホンシステムのブロック図。
【図２】従来のテレビインターホンシステムのブロック図。
【符号の説明】
１…カメラ付玄関機
２…モニタ親機
３…増設モニタ親機
４…映像バスコントローラ
４４…リレー
４５…電源切替回路
４７…電源検出回路
５…メイン電源アダプタ
６…サブ増設用電源アダプタ
【図１】
0004088469.tif 000002
【図２】
0004088469.tif 000003